(57)【特許請求の範囲】
【請求項１】
ＨＡＲＱ−ＡＣＫのビット数がＤＡＩに基づいて決定されることを示す第１の情報を含む上位層の信号を受信し、下りリンク制御情報をＰＤＣＣＨで受信する受信部と、
前記ＨＡＲＱ−ＡＣＫを送信する送信部と、を備え、
前記第１の情報が受信され、プライマリーセルのみにおけるＰＤＳＣＨでの送信のスケジューリングに用いられるＰＤＣＣＨが前記プライマリーセルのＣＳＳで検出され、前記ＰＤＣＣＨにおけるカウンターＤＡＩの値が１である場合、前記ＨＡＲＱ−ＡＣＫは、第１のＰＵＣＣＨフォーマットを用いて送信され、
前記第１の情報が受信され、プライマリーセルのみにおけるＰＤＳＣＨでの送信のスケジューリングに用いられるＰＤＣＣＨが前記プライマリーセルのＵＳＳで検出され、前記ＰＤＣＣＨにおけるカウンターＤＡＩの値とトータルＤＡＩの値の両方が１である場合、前記ＨＡＲＱ−ＡＣＫは、前記第１のＰＵＣＣＨフォーマットを用いて送信され、
前記第１の情報が受信され、プライマリーセルのみにおけるＰＤＳＣＨでの送信のスケジューリングに用いられるＰＤＣＣＨが検出され、前記ＰＤＣＣＨにおけるカウンターＤＡＩの値とトータルＤＡＩの値のいずれかが１より大きい場合、前記ＨＡＲＱ−ＡＣＫは、第２のＰＵＣＣＨフォーマットまたは第３のＰＵＣＣＨフォーマットを用いて送信される、
端末装置。
【請求項２】
前記ＨＡＲＱ−ＡＣＫのビット数が所定の数より小さい場合、前記ＨＡＲＱ−ＡＣＫは前記第２のＰＵＣＣＨフォーマットを用いて送信され、
前記ＨＡＲＱ−ＡＣＫのビット数が所定の数より大きい場合、前記ＨＡＲＱ−ＡＣＫは前記第３のＰＵＣＣＨフォーマットを用いて送信される、
請求項１に記載の端末装置。
【請求項３】
ＨＡＲＱ−ＡＣＫのビット数がＤＡＩに基づいて決定されることを示す第１の情報を含む上位層の信号を送信し、下りリンク制御情報をＰＤＣＣＨで送信する送信部と、
前記ＨＡＲＱ−ＡＣＫを受信する受信部と、を備え、
前記第１の情報が受信され、プライマリーセルのみにおけるＰＤＳＣＨでの送信のスケジューリングに用いられるＰＤＣＣＨが前記プライマリーセルのＣＳＳで検出され、前記ＰＤＣＣＨにおけるカウンターＤＡＩの値が１である場合、前記ＨＡＲＱ−ＡＣＫは、第１のＰＵＣＣＨフォーマットを用いて送信され、
前記第１の情報が受信され、プライマリーセルのみにおけるＰＤＳＣＨでの送信のスケジューリングに用いられるＰＤＣＣＨが前記プライマリーセルのＵＳＳで検出され、前記ＰＤＣＣＨにおけるカウンターＤＡＩの値とトータルＤＡＩの値の両方が１である場合、前記ＨＡＲＱ−ＡＣＫは、前記第１のＰＵＣＣＨフォーマットを用いて送信され、
前記第１の情報が受信され、プライマリーセルのみにおけるＰＤＳＣＨでの送信のスケジューリングに用いられるＰＤＣＣＨが検出され、前記ＰＤＣＣＨにおけるカウンターＤＡＩの値とトータルＤＡＩの値のいずれかが１より大きい場合、前記ＨＡＲＱ−ＡＣＫは、第２のＰＵＣＣＨフォーマットまたは第３のＰＵＣＣＨフォーマットを用いて送信される、
基地局装置。
【請求項４】
前記ＨＡＲＱ−ＡＣＫのビット数が所定の数より小さい場合、前記ＨＡＲＱ−ＡＣＫは前記第２のＰＵＣＣＨフォーマットを用いて送信され、
前記ＨＡＲＱ−ＡＣＫのビット数が所定の数より大きい場合、前記ＨＡＲＱ−ＡＣＫは前記第３のＰＵＣＣＨフォーマットを用いて送信される、
請求項３に記載の基地局装置。
【請求項５】
端末装置の通信方法であって、
ＨＡＲＱ−ＡＣＫのビット数がＤＡＩに基づいて決定されることを示す第１の情報を含む上位層の信号を受信するステップと、
下りリンク制御情報をＰＤＣＣＨで受信するステップと、
前記ＨＡＲＱ−ＡＣＫを送信するステップと、を含み、
前記第１の情報が受信され、プライマリーセルのみにおけるＰＤＳＣＨでの送信のスケジューリングに用いられるＰＤＣＣＨが前記プライマリーセルのＣＳＳで検出され、前記ＰＤＣＣＨにおけるカウンターＤＡＩの値が１である場合、前記ＨＡＲＱ−ＡＣＫは、第１のＰＵＣＣＨフォーマットを用いて送信され、
前記第１の情報が受信され、プライマリーセルのみにおけるＰＤＳＣＨでの送信のスケジューリングに用いられるＰＤＣＣＨが前記プライマリーセルのＵＳＳで検出され、前記ＰＤＣＣＨにおけるカウンターＤＡＩの値とトータルＤＡＩの値の両方が１である場合、前記ＨＡＲＱ−ＡＣＫは、前記第１のＰＵＣＣＨフォーマットを用いて送信され、
前記第１の情報が受信され、プライマリーセルのみにおけるＰＤＳＣＨでの送信のスケジューリングに用いられるＰＤＣＣＨが検出され、前記ＰＤＣＣＨにおけるカウンターＤＡＩの値とトータルＤＡＩの値のいずれかが１より大きい場合、前記ＨＡＲＱ−ＡＣＫは、第２のＰＵＣＣＨフォーマットまたは第３のＰＵＣＣＨフォーマットを用いて送信される、
通信方法。
【請求項６】
前記ＨＡＲＱ−ＡＣＫのビット数が所定の数より小さい場合、前記ＨＡＲＱ−ＡＣＫは前記第２のＰＵＣＣＨフォーマットを用いて送信され、
前記ＨＡＲＱ−ＡＣＫのビット数が所定の数より大きい場合、前記ＨＡＲＱ−ＡＣＫは前記第３のＰＵＣＣＨフォーマットを用いて送信される、
請求項５に記載の通信方法。
【請求項７】
基地局装置の通信方法であって、
ＨＡＲＱ−ＡＣＫのビット数がＤＡＩに基づいて決定されることを示す第１の情報を含む上位層の信号を送信するステップと、
下りリンク制御情報をＰＤＣＣＨで送信するステップと、
前記ＨＡＲＱ−ＡＣＫを受信するステップと、を含み、
前記第１の情報が受信され、プライマリーセルのみにおけるＰＤＳＣＨでの送信のスケジューリングに用いられるＰＤＣＣＨが前記プライマリーセルのＣＳＳで検出され、前記ＰＤＣＣＨにおけるカウンターＤＡＩの値が１である場合、前記ＨＡＲＱ−ＡＣＫは、第１のＰＵＣＣＨフォーマットを用いて送信され、
前記第１の情報が受信され、プライマリーセルのみにおけるＰＤＳＣＨでの送信のスケジューリングに用いられるＰＤＣＣＨが前記プライマリーセルのＵＳＳで検出され、前記ＰＤＣＣＨにおけるカウンターＤＡＩの値とトータルＤＡＩの値の両方が１である場合、前記ＨＡＲＱ−ＡＣＫは、前記第１のＰＵＣＣＨフォーマットを用いて送信され、
前記第１の情報が受信され、プライマリーセルのみにおけるＰＤＳＣＨでの送信のスケジューリングに用いられるＰＤＣＣＨが検出され、前記ＰＤＣＣＨにおけるカウンターＤＡＩの値とトータルＤＡＩの値のいずれかが１より大きい場合、前記ＨＡＲＱ−ＡＣＫは、第２のＰＵＣＣＨフォーマットまたは第３のＰＵＣＣＨフォーマットを用いて送信される、
通信方法。
【請求項８】
前記ＨＡＲＱ−ＡＣＫのビット数が所定の数より小さい場合、前記ＨＡＲＱ−ＡＣＫは前記第２のＰＵＣＣＨフォーマットを用いて送信され、
前記ＨＡＲＱ−ＡＣＫのビット数が所定の数より大きい場合、前記ＨＡＲＱ−ＡＣＫは前記第３のＰＵＣＣＨフォーマットを用いて送信される、
請求項７に記載の通信方法。
【発明の詳細な説明】
【技術分野】
【０００１】
本発明は、端末装置、基地局装置および通信方法に関する。
本願は、２０１６年４月２６日に、日本に出願された特願２０１６−０８７７８８号に
基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。【０００３】
ＬＴＥは、時分割複信（Time Division Duplex : TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex : FDD）に対応している。【０００４】
また、３ＧＰＰにおいて、端末装置が５つを超えたサービングセル（コンポーネントキャリア）において、同時に送信、および／または、受信を行うことが検討されている。さらに、端末装置が、プライマリーセル以外のサービングセルであるセカンダリーセルにおいて、物理上りリンク制御チャネルでの送信を行うことが検討されている（非特許文献１）。
【先行技術文献】
【非特許文献】
【０００５】
【非特許文献１】"New WI proposal: LTE Carrier Aggregation Enhancement Beyond 5 Carriers", RP-142286, Nokia Corporation, NTT DoCoMo Inc., Nokia Networks, 3GPP TSG RAN Meeting#66, Hawaii, United States of America, 8th - 11th December 2014.
【発明の概要】
【発明が解決しようとする課題】
【０００６】
しかしながら、上述のような無線通信システムにおいて、上りリンク制御情報を送信する際の処理について、具体的な方法は十分に検討されていなかった。【０００７】
本発明は上記の点に鑑みてなされたものであり、その目的は、上りリンク制御情報を効
率的に送信することができる端末装置、基地局装置および通信方法を提供することを目的とする。
【課題を解決するための手段】
【０００８】
（１）上記の目的を達成するために、本発明の態様は、以下のような手段を講じた。すなわち、本発明の一態様における端末装置は、下りリンクアサインメントに基づきＨＡＲＱ−ＡＣＫのビット数を決定することを設定する第１の情報が含まれる上位層の信号を受信し、前記下りリンクアサインメントをＰＤＣＣＨで受信する受信部と、前記ＨＡＲＱ−ＡＣＫを送信する送信部と、を備え、前記送信部は、前記第１の情報を受信しており、且つ、プライマリーセルのみにおけるＰＤＳＣＨでの送信のスケジューリングに用いられるＰＤＣＣＨをプライマリーセルのＣＳＳにおいて検出し、前記下りリンクアサインメントに含まれるカウンターＤＡＩの値が１にセットされている場合には、第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨをプライマリーセルのＵＳＳにおいて検出し、前記下りリンクアサインメントに含まれるカウンターＤＡＩの値とトータルＤＡＩの値の両方が１にセットされている場合には、前記第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨを検出し、前記下りリンクアサインメントに含まれるカウンターＤＡＩの値とトータルＤＡＩの値のいずれか一方が１よりも大きい値にセットされている場合には、第３のＰＵＣＣＨフォーマット、および、第４のＰＵＣＣＨフォーマットのいずれか一方を用いて、前記ＨＡＲＱ−ＡＣＫを送信する。【０００９】
（２）また、本発明の一態様における基地局装置は、下りリンクアサインメントに基づきＨＡＲＱ−ＡＣＫのビット数を決定することを設定する第１の情報が含まれる上位層の信号を送信し、前記下りリンクアサインメントをＰＤＣＣＨで送信する送信部と、前記ＨＡＲＱ−ＡＣＫを受信する受信部と、を備え、前記受信部は、前記第１の情報を送信しており、且つ、プライマリーセルのみにおけるＰＤＳＣＨでの送信のスケジューリングに用いられるＰＤＣＣＨをプライマリーセルのＣＳＳにおいて送信し、前記下りリンクアサインメントに含まれるカウンターＤＡＩの値を１にセットしている場合には、第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨをプライマリーセルのＵＳＳにおいて送信し、前記下りリンクアサインメントに含まれるカウンターＤＡＩの値とトータルＤＡＩの値の両方を１にセットしている場合には、前記第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨを送信し、前記下りリンクアサインメントに含まれるカウンターＤＡＩの値とトータルＤＡＩの値のいずれか一方が１よりも大きい値にセットしている場合には、第３のＰＵＣＣＨフォーマット、および、第４のＰＵＣＣＨフォーマットのいずれか一方を用いて、前記ＨＡＲＱ−ＡＣＫを受信する。【００１０】
（３）また、本発明の一態様における端末装置の通信方法は、下りリンクアサインメントに基づきＨＡＲＱ−ＡＣＫのビット数を決定することを設定する第１の情報が含まれる上位層の信号を受信し、前記下りリンクアサインメントをＰＤＣＣＨで受信し、前記ＨＡＲＱ−ＡＣＫを送信する送信し、前記第１の情報を受信しており、且つ、プライマリーセルのみにおけるＰＤＳＣＨでの送信のスケジューリングに用いられるＰＤＣＣＨをプライマリーセルのＣＳＳにおいて検出し、前記下りリンクアサインメントに含まれるカウンターＤＡＩの値が１にセットされている場合には、第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨをプライマリーセルのＵＳＳにおいて検出し、前記下りリンクアサインメントに含まれるカウンターＤＡＩの値とトータルＤＡＩの値の両方が１にセットされている場合には、前記第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨを検出し、前記下りリンクアサインメントに含まれるカウンターＤＡＩの値とトータルＤＡＩの値のいずれか一方が１よりも大きい値にセットされている場合には、第３のＰＵＣＣＨフォーマット、および、第４のＰＵＣＣＨフォーマットのいずれか一方を用いて、前記ＨＡＲＱ−ＡＣＫを送信する。【００１１】
（４）また、本発明の一態様における基地局装置の通信方法は、下りリンクアサインメントに基づきＨＡＲＱ−ＡＣＫのビット数を決定することを設定する第１の情報が含まれる上位層の信号を送信し、前記下りリンクアサインメントをＰＤＣＣＨで送信し、前記ＨＡＲＱ−ＡＣＫを受信する受信し、前記第１の情報を送信しており、且つ、プライマリーセルのみにおけるＰＤＳＣＨでの送信のスケジューリングに用いられるＰＤＣＣＨをプライマリーセルのＣＳＳにおいて送信し、前記下りリンクアサインメントに含まれるカウンターＤＡＩの値を１にセットしている場合には、第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨをプライマリーセルのＵＳＳにおいて送信し、前記下りリンクアサインメントに含まれるカウンターＤＡＩの値とトータルＤＡＩの値の両方を１にセットしている場合には、前記第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨを送信し、前記下りリンクアサインメントに含まれるカウンターＤＡＩの値とトータルＤＡＩの値のいずれか一方が１よりも大きい値にセットしている場合には、第３のＰＵＣＣＨフォーマット、および、第４のＰＵＣＣＨフォーマットのいずれか一方を用いて、前記ＨＡＲＱ−ＡＣＫを受信する。【００１２】
（５）また、本発明の一態様における端末装置に搭載される集積回路は、下りリンクアサインメントに基づきＨＡＲＱ−ＡＣＫのビット数を決定することを設定する第１の情報が含まれる上位層の信号を受信し、前記下りリンクアサインメントをＰＤＣＣＨで受信する機能と、前記ＨＡＲＱ−ＡＣＫを送信する送信する機能と、を端末装置へ発揮させ、前記第１の情報を受信しており、且つ、プライマリーセルのみにおけるＰＤＳＣＨでの送信のスケジューリングに用いられるＰＤＣＣＨをプライマリーセルのＣＳＳにおいて検出し、前記下りリンクアサインメントに含まれるカウンターＤＡＩの値が１にセットされている場合には、第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨをプライマリーセルのＵＳＳにおいて検出し、前記下りリンクアサインメントに含まれるカウンターＤＡＩの値とトータルＤＡＩの値の両方が１にセットされている場合には、前記第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨを検出し、前記下りリンクアサインメントに含まれるカウンターＤＡＩの値とトータルＤＡＩの値のいずれか一方が１よりも大きい値にセットされている場合には、第３のＰＵＣＣＨフォーマット、および、第４のＰＵＣＣＨフォーマットのいずれか一方を用いて、前記ＨＡＲＱ−ＡＣＫを送信する。【００１３】
（６）また、本発明の一態様における基地局装置に搭載される集積回路は、下りリンクアサインメントに基づきＨＡＲＱ−ＡＣＫのビット数を決定することを設定する第１の情報が含まれる上位層の信号を送信し、前記下りリンクアサインメントをＰＤＣＣＨで送信する機能と、前記ＨＡＲＱ−ＡＣＫを受信する受信する機能と、を基地局装置へ発揮させ、前記第１の情報を送信しており、且つ、プライマリーセルのみにおけるＰＤＳＣＨでの送信のスケジューリングに用いられるＰＤＣＣＨをプライマリーセルのＣＳＳにおいて送信し、前記下りリンクアサインメントに含まれるカウンターＤＡＩの値を１にセットしている場合には、第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨをプライマリーセルのＵＳＳにおいて送信し、前記下りリンクアサインメントに含まれるカウンターＤＡＩの値とトータルＤＡＩの値の両方を１にセットしている場合には、前記第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨを送信し、前記下りリンクアサインメントに含まれるカウンターＤＡＩの値とトータルＤＡＩの値のいずれか一方が１よりも大きい値にセットしている場合には、第３のＰＵＣＣＨフォーマット、および、第４のＰＵＣＣＨフォーマットのいずれか一方を用いて、前記ＨＡＲＱ−ＡＣＫを受信する。
【発明の効果】
【００１４】
この発明によれば、上りリンク制御情報を効率的に送信することができる。
【図面の簡単な説明】
【００１５】
【図１】本実施形態における無線通信システムの概念を示す図である。
【図２】本実施形態におけるスロットの構成を示す図である。
【図３】本実施形態における下りリンクに対するＤＣＩフォーマットを説明するための図である。
【図４】本実施形態におけるＤＡＩのビット数を説明する図である。
【図５】本実施形態におけるＰＵＣＣＨセルグループを説明する図である。
【図６】本実施形態における上りリンク制御情報の送信方法を説明するための図である。
【図７】本実施形態における上りリンク制御情報の送信方法を説明するための別の図である。
【図８】本実施形態における上りリンク制御情報の送信方法を説明するための別の図である。
【図９】本実施形態における上りリンク制御情報の送信方法を説明するための別の図である。
【図１０】本実施形態における上りリンク制御情報の送信方法を説明するための別の図である。
【図１１】本実施形態における上りリンク制御情報の送信方法を説明するための別の図である。
【図１２】本実施形態における上りリンク制御情報の送信方法を説明するための別の図である。
【図１３】本実施形態における端末装置１の構成を示す概略ブロック図である。
【図１４】本実施形態における基地局装置３の構成を示す概略ブロック図である。
【発明を実施するための形態】
【００１６】
以下、本発明の実施形態について説明する。
【００１７】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１８】
本実施形態における物理チャネルおよび物理信号について説明する。
【００１９】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２０】
ＰＵＣＣＨは、上りリンク制御情報（Uplink Control Information : UCI）を送信するために用いられる。ここで、上りリンク制御情報には、下りリンクのチャネルの状態を示すために用いられるチャネル状態情報（CSI : Channel State Information）が含まれてもよい。また、上りリンク制御情報には、ＵＬ−ＳＣＨリソースを要求するために用いられるスケジューリング要求（SR : Scheduling Request）が含まれてもよい。また、上りリンク制御情報には、ＨＡＲＱ−ＡＣＫ（Hybrid Automatic Repeat request ACKnowledgement）が含まれてもよい。
【００２１】
ここで、ＨＡＲＱ−ＡＣＫは、下りリンクデータ（Transport block, Medium Access Control Protocol Data Unit : MAC PDU, Downlink-Shared Channel : DL-SCH, Physical Downlink Shared Channel : PDSCH）に対するＨＡＲＱ−ＡＣＫを示してもよい。すなわち、ＨＡＲＱ−ＡＣＫは、ＡＣＫ（a positive-acknowledgement）またはＮＡＣＫ（an negative-acknowledgement）を示してもよい。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２２】
ＰＵＳＣＨは、上りリンクデータ（Uplink-Shared Channel : UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２３】
ここで、基地局装置３と端末装置１は、上位層（higher layer）において信号をやり取り（送受信）する。例えば、基地局装置３と端末装置１は、無線リソース制御（RRC : Radio Resource Control）層において、ＲＲＣシグナリング（RRC message : Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２４】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２５】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００２６】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
【００２７】
本実施形態において、以下の２つのタイプの上りリンク参照信号が用いられる。
・ＤＭＲＳ（Demodulation Reference Signal）
・ＳＲＳ（Sounding Reference Signal）
【００２８】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２９】
ＳＲＳは、ＰＵＳＣＨまたはＰＵＣＣＨの送信に関連しない。基地局装置３は、上りリンクのチャネル状態を測定するためにＳＲＳを使用する。
【００３０】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３１】
ＰＢＣＨは、端末装置１で共通に用いられるマスターインフォメーションブロック（Master Information Block: MIB, Broadcast Channel: BCH）を報知するために用いられる。
【００３２】
ＰＣＦＩＣＨは、ＰＤＣＣＨの送信に用いられる領域（ＯＦＤＭシンボル）を指示する情報を送信するために用いられる。
【００３３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３４】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３５】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００３６】
ＰＭＣＨは、マルチキャストデータ（Multicast Channel: MCH）を送信するために用いられる。
【００３７】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００３８】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００３９】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００４０】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００４１】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００４２】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４３】
以下、キャリアアグリゲーションについて説明する。
【００４４】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００４５】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、後述する、端末装置１に対して設定される１つまたは複数のサービングセルのグループ（例えば、ＰＵＣＣＨセルグループ）のそれぞれにおいて、本実施形態が適用されてもよい。また、端末装置１に対して設定される１つまたは複数のサービングセルのグループの一部において、本実施形態が適用されてもよい。
【００４６】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００４７】
ここで、設定される１つまたは複数のサービングセルには、１つのプライマリーセルと、１つまたは複数のセカンダリーセルとが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００４８】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００４９】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００５０】
ここで、プライマリーセルは、ＰＵＣＣＨの送信に対して用いられてもよい。また、基地局装置３によって、ＰＵＣＣＨが設定されたセカンダリーセルは、ＰＵＣＣＨの送信に対して用いられてもよい。ここで、ＰＵＣＣＨの送信のために用いられるセカンダリーセルを、ＰＵＣＣＨセカンダリーセルとも称する。また、ＰＵＣＣＨの送信のために用いられないセカンダリーセルを、非ＰＵＣＣＨセカンダリーセルとも称する。また、プライマリーセルおよびＰＵＣＣＨセカンダリーセルを総称して、ＰＵＣＣＨサービングセル、および、ＰＵＣＣＨセルとも称する。すなわち、端末装置１は、ＰＵＣＣＨサービングセルにおいてＰＵＣＣＨでの送信を行う。
【００５１】
以下、本実施形態におけるスロットの構成について説明する。
【００５２】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００５３】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００５４】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００５５】
ここで、上述したように、ＰＤＣＣＨおよびＥＰＤＣＣＨで送信される下りリンク制御情報の送信に対して、複数のＤＣＩフォーマットが定義されてもよい。すなわち、下りリンク制御情報に対するフィールドがＤＣＩフォーマットに定義され、情報ビットへマップされる。
【００５６】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１、ＤＣＩフォーマット１Ａ、ＤＣＩフォーマット１Ｃ）が定義されてもよい。
【００５７】
図３は、下りリンクに対するＤＣＩフォーマットを説明するための図である。例えば、下りリンクに対するＤＣＩフォーマットには、キャリアインディケータフィールド（CIF : Carrier Indicator Field）、リソース割り当てタイプを識別するための情報（Resource allocation header）、リソースブロック割り当てに関する情報（Resource block assignment）、ＭＣＳに関する情報（Modulation and Coding Scheme）、ＨＡＲＱプロセスの番号に関する情報（HARQ process number）、新データかどうかを示す情報（New Data indicator）、リダンダンシーバージョンに関する情報（Redundancy version）、ＰＵＣＣＨでの送信に対する送信電力制御に関する情報（Transmission Power Control command for PUCCH）、および、下りリンクアサインメントインデックスに関する情報（Downlink Assignment Index : DAI）などの下りリンク制御情報が含まれてもよい。
【００５８】
ここで、下りリンクに対するＤＣＩフォーマットを、下りリンクグラント（downlink grant）、または、下りリンクアサインメント（downlink assignment）とも称する。すなわち、下りリンクに対するＤＣＩフォーマットには、ＰＤＳＣＨのスケジューリングに関する情報が含まれてもよい。
【００５９】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義されてもよい。
【００６０】
例えば、上りリンクに対するＤＣＩフォーマットには、キャリアインディケータフィールド（CIF : Carrier Indicator Field）、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、送信レイヤの数を指示するために用いられる情報（Precoding information and number of layers）などの下りリンク制御情報が含まれてもよい。
【００６１】
ここで、上りリンクに対するＤＣＩフォーマットを、上りリンクグラント（uplink grant）、または、上りリンクアサインメント（Uplink assignment）とも称する。すなわち、上りリンクに対するＤＣＩフォーマットには、ＰＵＳＣＨのスケジューリングに関する情報が含まれてもよい。
【００６２】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００６３】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、ＥＰＤＤＣＨを含んでもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００６４】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS: UE-specific Search Space）が含まれてもよい。例えば、ＵＳＳは、少なくとも、端末装置１に対して割り当てられるＣ−ＲＮＴＩによって与えられてもよい。端末装置１は、ＣＳＳおよび／またはＵＳＳにおいて、ＰＤＣＣＨをモニタし、自装置宛てのＰＤＣＣＨを検出してもよい。
【００６５】
また、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００６６】
すなわち、端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００６７】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。
【００６８】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００６９】
図４は、下りリンクアサインメントインデックス（ＤＡＩ）のビット数を説明するための図である。例えば、ＤＡＩのビット数は、上位層の情報（codebooksizeDetermination-r13、以下、第１の情報とも記載する）が“０（または、dai）”に設定（セット）され、且つ、ＰＤＳＣＨをスケジューリングするＤＣＩフォーマット（すなわち、下りリンクに対するＤＣＩフォーマット）がＵＳＳにマップされた場合には、４ビットであってもよい。ここで、この場合において、４ビットのＤＡＩは、２ビットのカウンターＤＡＩと、２ビットのトータルＤＡＩから構成されてもよい。ここで、４ビットのＤＡＩ（４ビットのＤＡＩフィールド）は、ＦＤＤ、および／または、ＴＤＤに対して用いられてもよい（存在してもよい）。また、上述したように、ＵＳＳは、少なくともＣ−ＲＮＴＩによって与えられてもよい。
【００７０】
また、ＤＡＩのビット数は、５つ未満（または、５つ以下）の下りリンクのセルが設定された場合には、２ビットであってもよい。また、ＤＡＩのビット数は、第１の情報が“１（または、cc）”に設定（セット）された場合には、２ビットであってもよい。また、ＤＡＩのビット数は、第１の情報が“０（または、dai）”に設定（セット）され、且つ、ＰＤＳＣＨをスケジューリングするＤＣＩフォーマット（すなわち、下りリンクに対するＤＣＩフォーマット）がＵＳＳにマップされていない場合には、２ビットであってもよい。すなわち、ＤＡＩのビット数は、第１の情報が“０（または、dai）”に設定（セット）され、且つ、ＰＤＳＣＨをスケジューリングするＤＣＩフォーマット（すなわち、下りリンクに対するＤＣＩフォーマット）がＣＳＳにマップされた場合には、２ビットであってもよい。ここで、２ビットのＤＡＩは、２ビットのカウンターＤＣＩとして構成されてもよい。
【００７１】
ここで、２ビットのＤＡＩ（２ビットのＤＡＩフィールド）は、ＴＤＤに対して用いられてもよい（存在してもよい）。また、２ビットのＤＡＩは、ＴＤＤが適用されるセルとＦＤＤが適用されるキャリアアグリゲーションにおいて、プライマリーセルに対してＴＤＤが適用される場合において用いられてもよい。
【００７２】
すなわち、２ビットのＤＡＩ（または、ＤＡＩフィールド）は、ＦＤＤが適用される場合、および／または、ＴＤＤが適用されるセルとＦＤＤが適用されるキャリアアグリゲーションにおいてプライマリーセルに対してＦＤＤが適用される場合において、用いられてなくてもよい（存在しなくてもよい）。すなわち、５つ未満（または、５つ以下）の下りリンクのセルが設定された場合には、ＤＡＩのビット数は０ビットであってもよい。また、第１の情報が“１（または、cc）”に設定（セット）された場合には、ＤＡＩのビット数は０ビットであってもよい。また、第１の情報が“０（または、dai）”に設定（セット）され、且つ、ＰＤＳＣＨをスケジューリングするＤＣＩフォーマット（すなわち、下りリンクに対するＤＣＩフォーマット）がＵＳＳにマップされていない場合には、ＤＡＩのビット数は０ビットであってもよい。すなわち、第１の情報が“０（または、dai）”
に設定（セット）され、且つ、ＰＤＳＣＨをスケジューリングするＤＣＩフォーマット（すなわち、下りリンクに対するＤＣＩフォーマット）がＣＳＳにマップされた場合には、ＤＡＩのビット数は０ビットであってもよい。
【００７３】
すなわち、基地局装置３は、“０（または、dai）”、または、“１（または、cc）”に設定（セット）された第１の情報（codebooksizeDetermination-r13）が含まれる上位層の信号を送信してもよい。例えば、基地局装置３は、第１の情報が含まれるＲＲＣ層における信号を送信してもよい。
【００７４】
例えば、第１の情報の値として“０”が設定された端末装置１は、ＨＡＲＱ−ＡＣＫのビットの数（または、ＨＡＲＱ−ＡＣＫのビットとスケジューリングリクエストのビットの数）を、少なくとも、ＤＡＩの値に基づいて決定してもよい。すなわち、この場合において、サービングセルに対するＨＡＲＱ−ＡＣＫビットから構成されるＨＡＲＱ−ＡＣＫフィードバックは、少なくとも、ＤＡＩに基づいてもよい（the HARQ-ACK feedback consists of the HARQ-ACK bits for the serving cells based on at least DAI）。
【００７５】
例えば、ＦＤＤに対して（ＦＤＤが適用される場合には、フレーム構造タイプ１に対して）、第１の情報の値として“０”が設定された場合には、ＨＡＲＱ−ＡＣＫのビットの数は、少なくとも、ＤＡＩの値に基づいて決定されてもよい。また、ＴＤＤに対して（ＴＤＤが適用される場合には、フレーム構造タイプ２に対して）、第１の情報の値として“０”が設定された場合には、ＨＡＲＱ−ＡＣＫのビットの数は、少なくとも、ＤＡＩの値に基づいて決定されてもよい。
【００７６】
ここで、下りリンクの送信モードとして、単一のコードワードの送信モード（単一のトランスポートブロックをサポートする送信モード）が設定された場合には、該セルに対して、１ビットのＨＡＲＱ−ＡＣＫが用いられてもよい。また、下りリンクの送信モードとして、２つまでのコードワードの送信モード（２つまでのトランスポートブロックをサポートする送信モード）が設定された場合には、該セルに対して、２ビットのＨＡＲＱ−ＡＣＫが用いられてもよい。
【００７７】
ここで、ＦＤＤおよび１つのサブフレームｎに対して、カウンターＤＡＩの値は、ＰＤＣＣＨに関連するＰＤＳＣＨでの送信を伴うサービングセルの累積される数を示してもよい（For FDD and a subframe n, the value of the counter DAI denotes the accumulative number of serving cell(s) with PDSCH transmission(s) associated with PDCCH(s)）。ここで、カウンターＤＡＩの値は、下りリンクのＳＰＳリリースを指示するＰＤＣＣＨを伴うサービングセルの累積される数を含んでもよい（the value of the counter DAI denotes the accumulative number of serving cell with PDCCH indicating SPS release）。すなわち、カウンターＤＡＩの値は、ＰＤＣＣＨに関連するＰＤＳＣＨでの送信を伴うサービングセル、および／または、下りリンクのＳＰＳリリースを指示するＰＤＣＣＨを伴うサービングセルの、累積される数を示してもよい。
【００７８】
また、ＴＤＤに対して、カウンターＤＡＩの値は、ＰＤＣＣＨに関連するＰＤＳＣＨでの送信を伴う｛サービングセル、および／または、サブフレーム｝のペアの累積される数を示してもよい（For TDD, the value of the counter DAI denotes the accumulative number of {serving cell(s), and/or subframe(s)}-pair(s) with PDSCH transmission(s) associated with PDCCH(s)）。ここで、カウンターＤＡＩの値は、下りリンクのＳＰＳリリースを指示するＰＤＣＣＨを伴う｛サービングセル、および／または、サブフレーム｝のペアの累積される数を含んでもよい（the value of the counter DAI denotes the accumulative number of {serving cell(s), and/or subframe(s)}-pair(s) with PDCCH indicating SPS release）。すなわち、カウンターＤＡＩの値は、ＰＤＣＣＨに関連するＰＤＳＣＨでの送信を伴う｛サービングセル、および／または、サブフレーム｝のペア、および／または、下りリンクのＳＰＳリリースを指示するＰＤＣＣＨを伴う｛サービングセル、および／または、サブフレーム｝のペアの、累積される数を示してもよい。
【００７９】
また、第１の情報の値として“１”が設定された端末装置１は、ＨＡＲＱ−ＡＣＫのビットの数を、少なくとも、設定されたサービングセルの数に基づいて設定してもよい。すなわち、この場合において、ＨＡＲＱ−ＡＣＫフィードバックは、各サービングセルに対するＨＡＲＱ−ＡＣＫのビットの連結から構成されてもよい（the HARQ-ACK feedback consists of the concatenation of HARQ-ACK bits for each of the serving cells）。ここで、例えば、基地局装置３は、サービングセル（セカンダリーセル）を上位層の信号を用いて設定してもよい。すなわち、基地局装置３によって、２つのセカンダリーセルが設定された場合には、設定されたサービングセルの数は３（１つのプライマリーセルと２つのセカンダリーセル）であってもよい。
【００８０】
例えば、ＦＤＤに対して、第１の情報の値として“１”が設定された場合には、ＨＡＲＱ−ＡＣＫのビットの数は、少なくとも、設定されたサービングセルの数、および、各セルにおいて設定された下りリンクの送信モードに基づいて決定されてもよい。また、ＴＤＤに対して、第１の情報の値として“１”が設定された場合には、ＨＡＲＱ−ＡＣＫのビットの数は、少なくとも、設定されたサービングセルの数、各セルにおいて設定された下りリンクの送信モード、および、ＨＡＲＱ−ＡＣＫが送信される上りリンクサブフレームに関連する下りリンクサブフレームの数に基づいて決定してもよい。
【００８１】
ここで、ＨＡＲＱ−ＡＣＫのビットの数の決定を、ＨＡＲＱ−ＡＣＫのコードブックサイズの決定（HARQ-ACK codebook determination）とも称する。また、第１の情報の値として“０”が設定された場合におけるＨＡＲＱ−ＡＣＫ手順を、アダプティブコードブックを伴うＨＡＲＱ−ＡＣＫ手順（HARQ-ACK procedure with adaptive codebook）とも称する。また、第１の情報の値として“１”が設定された場合におけるＨＡＲＱ−ＡＣＫ手順を、アダプティブコードブックを伴なわいＨＡＲＱ−ＡＣＫ手順（HARQ-ACK procedure without adaptive codebook）とも称する。
【００８２】
すなわち、端末装置１は、第１の情報の値として“０”が設定された場合には、アダプティブコードブックを伴うＨＡＲＱ−ＡＣＫ手順を実行してもよい。また、端末装置１は、第１の情報の値として“１”が設定された場合には、アダプティブコードブックを伴わないＨＡＲＱ−ＡＣＫ手順を実行してもよい。
【００８３】
図５は、本実施形態におけるＰＵＣＣＨセルグループを説明する図である。
【００８４】
図５は、ＰＵＣＣＨセルグループの設定（構成、定義）の例として、３つの例（Example (a)、Example (b)、Example (c)）を示している。ここで、複数のサービングセルのグループをＰＵＣＣＨセルグループと称してもよい。また、ＰＵＣＣＨセルグループは、ＰＵＣＣＨでの送信（ＰＵＣＣＨでの上りリンク制御情報の送信）に関連するグループであってもよい。また、あるサービングセルは、何れか１つのＰＵＣＣＨセルグループに属してもよい。例えば、基地局装置３は、ＰＵＣＣＨセルグループを設定するために用いられる情報が含まれる上位層の信号（ＲＲＣ層における信号）を送信してもよい。
【００８５】
図５（ａ）は、ＰＵＣＣＨセルグループとして、第１のＰＵＣＣＨセルグループ、および、第２のセルグループが設定されていることを示している。例えば、図５（ａ）において、基地局装置３は、第１のセルグループにおいて下りリンク信号を送信し、端末装置３は、第１のセルグループにおいて上りリンク信号を送信してもよい（すなわち、第１のセルグループにおけるＰＵＣＣＨで上りリンク制御情報を送信してもよい）。例えば、端末装置１は、第１のセルグループにおける下りリンクコンポーネントキャリアに対する上りリンク制御情報を、第１のセルグループにおけるプライマリーセルにおけるＰＵＣＣＨで送信してもよい。
【００８６】
同様に、基地局装置３と端末装置１は、図５（ｂ）に示すようにＰＵＣＣＨセルグループを設定し、上りリンク制御情報を送受信してもよい。また、基地局装置３と端末装置１は、図５（ｃ）に示すようにＰＵＣＣＨセルグループを設定し、上りリンク制御情報を送受信してもよい。
【００８７】
図６は、本実施形態における上りリンク制御情報の送信方法を説明するための図である。
【００８８】
ここで、プライマリーセルを含むＰＵＣＣＨセルグループを、プライマリーＰＵＣＣＨグループと称してもよい。また、ＰＵＣＣＨセカンダリーセルを含むＰＵＣＣＨセルグループを、セカンダリーＰＵＣＣＨグループと称してもよい。ここで、ＰＵＣＣＨセカンダリーセルが設定された端末装置１は、ＰＵＣＣＨでの上りリンク制御情報の送信を、プライマリーＰＵＣＣＨグループおよびセカンダリーＰＵＣＣＨグループの両方で実行してもよい。
【００８９】
ここで、端末装置１は、上りリンク制御情報の送信をプライマリーＰＵＣＣＨグループで実行する場合には、プライマリーセル、および、セカンダリーセルは、プライマリーＰＵＣＣＨグループに属してもよい。また、端末装置１は、上りリンク制御情報の送信をセカンダリーＰＵＣＣＨグループで実行する場合には、ＰＵＣＣＨセカンダリーセル、および、セカンダリーセルは、セカンダリーＰＵＣＣＨグループに属してもよい。以下、説明を容易とするために、セカンダリーＰＵＣＣＨグループのＰＵＣＣＨセカンダリーセルを、プライマリーセルとも記載する。
【００９０】
ここで、ＰＵＣＣＨに対して、複数のフォーマットが定義（サポート）されてもよい。ＰＵＣＣＨに対してサポートされるフォーマット（ＰＵＣＣＨがサポートするフォーマット）は、ＰＵＣＣＨフォーマットとも称される。例えば、以下のＰＵＣＣＨフォーマットを用いることによって、ＰＵＣＣＨでの上りリンク制御情報の組み合わせ（上りリンク制御情報の組み合わせの送信）がサポートされる。
・フォーマット１ａ
・フォーマット１ｂ
・フォーマット２
・フォーマット２ａ
・フォーマット２ｂ
・フォーマット３
・フォーマット４
【００９１】
ここで、ＰＵＣＣＨフォーマット１ａは、１ビットのＨＡＲＱ−ＡＣＫ、または、ポジティブＳＲを伴う１ビットのＨＡＲＱ−ＡＣＫに対して定義されてもよい。また、ＰＵＣＣＨフォーマット１ｂは、２ビットのＨＡＲＱ−ＡＣＫ、または、ポジティブＳＲを伴う２ビットのＨＡＲＱ−ＡＣＫに対して定義されてもよい。以下、ＰＵＣＣＨフォーマット１ａ、および／または、ＰＵＣＣＨフォーマット１ｂを、第１のＰＵＣＣＨフォーマットとも称する。
【００９２】
また、ＰＵＣＣＨフォーマット２は、ＨＡＲＱ−ＡＣＫが多重されない場合におけるＣＳＩレポートに対して定義されてもよい。また、ＰＵＣＣＨフォーマット２ａは、１ビットのＨＡＲＱ−ＡＣＫが多重されるＣＳＩレポートに対して定義されてもよい。また、ＰＵＣＣＨフォーマット２ｂは、２ビットのＨＡＲＱ−ＡＣＫが多重されるＣＳＩレポートに対して定義されてもよい。以下、ＰＵＣＣＨフォーマット２、ＰＵＣＣＨフォーマット２ａ、および／または、ＰＵＣＣＨフォーマット２ｂを、第２のＰＵＣＣＨフォーマットとも称する。
【００９３】
また、ＰＵＣＣＨフォーマット３は、１０ビット以下のＨＡＲＱ−ＡＣＫに対して定義されてもよい。また、ＰＵＣＣＨフォーマット３は、１０ビットのＨＡＲＱ−ＡＣＫおよび１ビットのポジティブ／ネガティブＳＲに対応する１１ビット以下に対して定義されてもよい。すなわち、１ビットの情報を用いて、ポジティブＳＲ、または、ネガティブＳＲが示されてもよい。ここで、１０ビット以下のＨＡＲＱ−ＡＣＫ、および、１０ビットのＨＡＲＱ−ＡＣＫおよび１ビットのポジティブ／ネガティブＳＲに対応する１１ビット以下は、ＦＤＤに対して定義されてもよい。
【００９４】
また、ＰＵＣＣＨフォーマット３は、２０ビット以下のＨＡＲＱ−ＡＣＫに対して定義されてもよい。また、ＰＵＣＣＨフォーマット３は、２０ビットのＨＡＲＱ−ＡＣＫおよび１ビットのポジティブ／ネガティブＳＲに対応する２１ビット以下に対して定義されてもよい。ここで、２０ビット以下のＨＡＲＱ−ＡＣＫ、および、２０ビットのＨＡＲＱ−ＡＣＫおよび１ビットのポジティブ／ネガティブＳＲに対応する２１ビット以下は、ＴＤＤに対して定義されてもよい。
【００９５】
ここで、ＰＵＣＣＨフォーマット３を用いて上りリンク制御情報（HARQ-ACK、SR、および／または、CSI）が送信される場合において、第１のコーディング方法（例えば、Reed Muller code（Reed Muller coding）、または、（32, O）block code（（32, O）block coding））が用いられてもよい。ここで、例えば、（32, O）block codeに対する基準系列（Basis sequences）は、予め仕様書などによって与えられてもよい。
【００９６】
また、ＰＵＣＣＨフォーマット３は、ＨＡＲＱ−ＡＣＫおよび１つのサービングセルに対するＣＳＩレポートに対して定義されてもよい。また、ＰＵＣＣＨフォーマット３は、ＨＡＲＱ−ＡＣＫ、１ビットのポジティブ／ネガティブＳＲ、および、１つのサービングセルに対するＣＳＩレポートに対して定義されてもよい。以下、ＰＵＣＣＨフォーマット３を、第３のＰＵＣＣＨフォーマットとも称する。
【００９７】
また、ＰＵＣＣＨフォーマット４は、２２ビットよりも多い上りリンク制御情報（ＨＡＲＱ−ＡＣＫ、スケジューリングリクエスト、および／または、ピリオディックＣＳＩ）に対して定義されてもよい。ここで、ピリオディックＣＳＩは、１つのサービングセルに対するＣＳＩであってもよい。また、ピリオディックＣＳＩは、複数のサービングセルに対するＣＳＩであってもよい。また、ＳＲは、ポジティブＳＲおよび／またはネガティブＳＲであってもよい。以下、ＰＵＣＣＨフォーマット４を、第４のＰＵＣＣＨフォーマットとも称する。
【００９８】
ここで、ＰＵＣＣＨフォーマット４を用いて上りリンク制御情報が送信される場合において、第２のコーディング方法（例えば、Tail biting convolutional encoder（Tail biting convolutional coding）、または、Turbo encoder（Turbo coding）が用いられてもよい。
【００９９】
すなわち、ＰＵＣＣＨフォーマット４を用いて送信される（送信可能な）サブフレーム辺りのビット数（Number of bits per subframe）は、ＰＵＣＣＨフォーマット３を用いて送信される（送信可能な）サブフレーム辺りのビット数よりも多くてもよい。すなわち、ＰＵＣＣＨフォーマット４を用いて送信される（送信可能な）サブフレーム辺りの情報量は、ＰＵＣＣＨフォーマット３を用いて送信される（送信可能な）サブフレーム辺りの情報量よりも多くてもよい。
【０１００】
ここで、基地局装置３は、ＰＵＣＣＨのリソースを指示（設定、割り当て）してもよい。ここで、ＰＵＣＣＨのリソースには、第１のＰＵＣＣＨリソース（ＰＵＣＣＨリソース１とも記載する）、第２のＰＵＣＣＨリソース（ＰＵＣＣＨリソース２とも記載する）、第３のＰＵＣＣＨリソース（ＰＵＣＣＨリソース３とも記載する）、および／または、第４のＰＵＣＣＨリソース（ＰＵＣＣＨリソース４とも記載する）が含まれてもよい。
【０１０１】
例えば、基地局装置３は、上位層の信号およびＰＤＣＣＨを用いて、第１のＰＵＣＣＨリソースを指示してもよい。例えば、基地局装置３は、第１のＰＵＣＣＨリソースを設定するために用いられる第２の情報が含まれる上位層の信号を送信してもよい。例えば、第１のＰＵＣＣＨフォーマットに対するＨＡＲＱ−ＡＣＫは、第１のＰＵＣＣＨリソースで送信されてもよい。端末装置１は、ＰＤＣＣＨの送信に対して使用されるＣＣＥ（Control Channel Element）（例えば、ＣＣＥの最小のインデックス（lowest index））、および、第２の情報に基づいて、第１のＰＵＣＣＨリソースを決定してもよい。端末装置１は、第１のＰＵＣＣＨフォーマットに対するＨＡＲＱ−ＡＣＫの送信に対して、第１のＰＵＣＣＨリソースを用いてもよい。すなわち、端末装置１は、第１のＰＵＣＣＨリソースおよび第１のＰＵＣＣＨフォーマットを用いて、ＨＡＲＱ−ＡＣＫを送信してもよい。
【０１０２】
また、基地局装置３は、第２のＰＵＣＣＨリソースを設定するために用いられる第３の情報が含まれる上位層の信号を送信してもよい。例えば、ＣＳＩ（例えば、ピリオディックＣＳＩ）は、第２のＰＵＣＣＨリソースで送信されてもよい。ここで、第２のＰＵＣＣＨリソースは、各サービングセルに対して設定されてもよい。すなわち、各サービングセルに対するピリオディックＣＳＩがレポートされてもよい。また、基地局装置３は、ピリオディックＣＳＩレポートに対する周期および／またはオフセットを指示するために用いられる第４の情報が含まれる上位層の信号を送信してもよい。端末装置１は、基地局装置３による設定に基づいて、周期的にＣＳＩをレポートしてもよい。すなわち、端末装置１は、第２のＰＵＣＣＨリソースおよび第２のＰＵＣＣＨフォーマットを用いて、ピリオディックＣＳＩをレポートしてもよい。
【０１０３】
また、基地局装置３は、上位層の信号およびＰＤＣＣＨ（ＰＤＣＣＨで送信される下りリンク制御情報でもよい）を用いて、第３のＰＵＣＣＨリソースを指示してもよい。例えば、基地局装置３は、上位層の信号を用いて第３のＰＵＣＣＨリソースに関連する４つの値（４つの第３のＰＵＣＣＨリソース）を設定するための第５の情報を送信し、さらに、セカンダリーセルに対するＰＤＣＣＨで送信される下りリンク制御情報にセットされる値に基づいて（例えば、２ビットの情報フィールドにセットされる“００”、“０１”、“１０”、“１１”を用いて、設定した４つの値のうちの１つの値を指示することによって）、１つの第３のＰＵＣＣＨリソースを指示してもよい。
【０１０４】
例えば、基地局装置３は、セカンダリーセルに対するＰＤＣＣＨで送信される下りリンクアサインメントに含まれるＰＵＣＣＨに対する送信電力コマンドフィールドにセットされる値を用いて、１つの第３のＰＵＣＣＨリソースを指示してもよい。例えば、第３のＰＵＣＣＨフォーマットに対するＨＡＲＱ−ＡＣＫ、ＳＲ、および／または、ピリオディックＣＳＩは、第３のＰＵＣＣＨリソースで送信されてもよい。端末装置１は、第３のＰＵＣＣＨリソースおよび第３のＰＵＣＣＨフォーマットを用いて、ＨＡＲＱ−ＡＣＫ、ＳＲ、および／または、ピリオディックＣＳＩを送信してもよい。
【０１０５】
また、基地局装置３は、上位層の信号およびＰＤＣＣＨ（ＰＤＣＣＨで送信される下りリンク制御情報でもよい）を用いて、第４のＰＵＣＣＨリソースを指示してもよい。例えば、基地局装置３は、上位層の信号を用いて第４のＰＵＣＣＨリソースに関連する４つの値（４つの第３のＰＵＣＣＨリソース）を設定するための第５の情報を送信し、さらに、セカンダリーセルに対するＰＤＣＣＨで送信される下りリンク制御情報にセットされる値に基づいて（例えば、２ビットの情報フィールドにセットされる“００”、“０１”、“１０”、“１１”を用いて、設定した４つの値のうちの１つの値を指示することによって）、１つの第３のＰＵＣＣＨリソースを指示してもよい。
【０１０６】
例えば、基地局装置３は、セカンダリーセルに対するＰＤＣＣＨで送信される下りリンクアサインメントに含まれるＰＵＣＣＨに対する送信電力コマンドフィールドにセットされる値を用いて、１つの第４のＰＵＣＣＨリソースを指示してもよい。例えば、第４のＰＵＣＣＨフォーマットに対するＨＡＲＱ−ＡＣＫ、ＳＲ、および／または、ピリオディックＣＳＩは、第４のＰＵＣＣＨリソースで送信されてもよい。端末装置１は、第４のＰＵＣＣＨリソースおよび第４のＰＵＣＣＨフォーマットを用いて、ＨＡＲＱ−ＡＣＫ、ＳＲ、および／または、ピリオディックＣＳＩを送信してもよい。
【０１０７】
以下、ＰＤＣＣＨの検出、および、ＰＤＣＣＨの検出に基づくＰＤＳＣＨでの送信（デコード）が行なわれるサブフレームを、第１のサブフレームとも称する。例えば、第１のサブフレームは、サブフレームｎ−４として表される。ここで、第１のサブフレームは、端末装置１によって送信されるＨＡＲＱ−ＡＣＫに対する１つまたは複数のサブフレームを示していてもよい。
【０１０８】
また、ＰＤＳＣＨでの送信（デコード）に対するＨＡＲＱ−ＡＣＫの送信が行なわれるサブフレームを、第２のサブフレームとも称する。例えば、第２のサブフレームは、サブフレームｎとして表される。ここで、第２のサブフレームにおいて、上りリンク制御情報が送信されてもよい。
【０１０９】
すなわち、端末装置１は、サブフレームｎ−４におけるＰＤＣＣＨの検出に基づくＰＤＳＣＨでの送信に対して、サブフレームｎにおいてＨＡＲＱ−ＡＣＫを送信してもよい。また、端末装置１は、１つまたは複数のサブフレームｎ−ｋ（ｋ∈Ｋ、Ｋは、１つまたは複数の値）における、１つまたは複数のＰＤＳＣＨでの送信に対して、サブフレームｎにおいてＨＡＲＱ−ＡＣＫを送信してもよい。ここで、１つまたは複数のＰＤＳＣＨでの送信は、１つまたは複数のＰＤＣＣＨの検出に基づいてよい。
【０１１０】
上述したように、端末装置１は、第２のサブフレームにおけるＨＡＲＱ−ＡＣＫの送信に対して、第１のＰＵＣＣＨリソースおよび第１のＰＵＣＣＨフォーマットを用いてもよい。また、端末装置１は、第２のサブフレームにおけるＨＡＲＱ−ＡＣＫの送信に対して、第３のＰＵＣＣＨリソースおよび第３のＰＵＣＣＨフォーマットを用いてもよい。また、端末装置１は、第２のサブフレームにおけるＨＡＲＱ−ＡＣＫの送信に対して、第４のＰＵＣＣＨリソースおよび第４のＰＵＣＣＨフォーマットを用いてもよい。
【０１１１】
図７は、本実施形態における上りリンク制御情報の送信方法を説明するための別の図である。ここで、図７は、疑似コード（Pseudo code）を示している。
【０１１２】
すなわち、図７は、端末装置１が、ＨＡＲＱ−ＡＣＫ（上りリンク制御情報）を送信する場合において、第１のＰＵＣＣＨリソース、第３のＰＵＣＣＨリソース、および、第４のＰＵＣＣＨリソースのいずれを用いるのかを示している。また、図７は、端末装置１が、ＨＡＲＱ−ＡＣＫ（上りリンク制御情報）を送信する場合において、第１のＰＵＣＣＨフォーマット、第３のＰＵＣＣＨフォーマット、および、第４のＰＵＣＣＨフォーマットのいずれを用いるのかを示している。
【０１１３】
ここで、図７は、ＦＤＤに対して（ＦＤＤが適用される場合における、フレーム構造タイプ１に対して）、ＨＡＲＱ−ＡＣＫ（上りリンク制御情報）を送信する際の動作を示していてもよい。また、図７は、ＴＤＤが適用されるセルとＦＤＤが適用されるキャリアアグリゲーションにおいて、プライマリーセルに対してＦＤＤが適用される場合において用いられてもよい。また、図７は、ＰＵＣＣＨフォーマット４が設定された端末装置１の動作を示していてもよい。
【０１１４】
図７に示すように、第１の情報の値として“０”がセット（設定）された場合において、端末装置１は、第１のサブフレームにおけるプライマリーセルのＣＳＳにおけるＰＤＣＣＨの検出によって指示されたプライマリーセルのみにおけるＰＤＳＣＨでの送信に対して、第１のＰＵＣＣＨリソースおよび第１のＰＵＣＣＨフォーマットを用いてもよい。すなわち、この場合において、端末装置１は、プライマリーセルのみにおけるＰＤＳＣＨでの送信のスケジューリングに用いられるＰＤＣＣＨを、プライマリーセルのＣＳＳにおいて検出した場合には、第１のＰＵＣＣＨリソースおよび第１のＰＵＣＣＨフォーマットを用いてもよい。
【０１１５】
ここで、プライマリーセルにおけるＰＤＳＣＨは、プライマリーセルにおけるＰＤＣＣＨのみを用いてスケジュールされてもよい。すなわち、プライマリーセルにおけるＰＤＳＣＨは、セカンダリーセルにおけるＰＤＣＣＨを用いてスケジュールされなくてもよい。
【０１１６】
また、第１の情報の値として“０”がセット（設定）された場合において、端末装置１は、第１のサブフレームにおけるＰＤＣＣＨの検出によって指示されたプライマリーセルのみにおけるＰＤＳＣＨでの送信に対して、そして、カウンターＤＡＩの値とトータルＤＡＩの値の両方が“０”の場合には、第１のＰＵＣＣＨリソースおよび第１のＰＵＣＣＨフォーマットを用いてもよい。ここで、ＰＤＣＣＨは、プライマリーセルのＵＳＳにおいて検出されてもよい。すなわち、この場合において、端末装置１は、プライマリーセルのみにおけるＰＤＳＣＨでの送信のスケジューリングに用いられるＰＤＣＣＨを検出し、カウンターＤＡＩの値とトータルＤＡＩの値の両方が“０”にセットされている場合には、第１のＰＵＣＣＨリソースおよび第１のＰＵＣＣＨフォーマットを用いてもよい。
【０１１７】
また、第１の情報の値として“０”がセット（設定）された場合において、端末装置１は、第１のサブフレームにおけるＰＤＣＣＨの検出によって指示されたセカンダリーセルにおけるＰＤＳＣＨでの送信に対して、第４のＰＵＣＣＨリソースおよび第４のＰＵＣＣＨフォーマット、または、第３のＰＵＣＣＨリソースおよび第３のＰＵＣＣＨフォーマットを用いてもよい。
【０１１８】
ここで、端末装置１は、プライマリーセルにおけるＰＤＳＣＨでの送信、および、セカンダリーセルにおけるＰＤＳＣＨの送信に対して、第４のＰＵＣＣＨリソースおよび第４のＰＵＣＣＨフォーマット、または、第３のＰＵＣＣＨリソースおよび第３のＰＵＣＣＨフォーマットを用いてもよい。また、端末装置１は、セカンダリーセル（第１のセカンダリーセル）におけるＰＤＳＣＨでの送信、および、セカンダリーセル（第２のセカンダリーセル）におけるＰＤＳＣＨの送信に対して、第４のＰＵＣＣＨリソースおよび第４のＰＵＣＣＨフォーマット、または、第３のＰＵＣＣＨリソースおよび第３のＰＵＣＣＨフォーマットを用いてもよい。
【０１１９】
すなわち、端末装置１は、第１のサブフレームにおけるＰＤＣＣＨの検出によって指示された、少なくとも１つのセカンダリーセルにおけるＰＤＳＣＨでの送信に対して、第４のＰＵＣＣＨリソースおよび第４のＰＵＣＣＨフォーマット、または、第３のＰＵＣＣＨリソースおよび第３のＰＵＣＣＨフォーマットを用いてもよい。以下、セカンダリーセルにおけるＰＤＳＣＨでの送信には、上述したような、少なくとも１つのセカンダリーセルにおけるＰＤＳＣＨでの送信が含まれてもよい。
【０１２０】
すなわち、端末装置１は、少なくとも１つのセカンダリーセルにおけるＰＤＳＣＨでの送信のスケジューリングに用いられるＰＤＣＣＨを検出した場合には、第４のＰＵＣＣＨリソースおよび第４のＰＵＣＣＨフォーマット、または、第３のＰＵＣＣＨリソースおよび第３のＰＵＣＣＨフォーマットを用いてもよい。
【０１２１】
また、第１の情報の値として“０”がセット（設定）された場合において、端末装置１は、第１のサブフレームにおけるＰＤＣＣＨの検出によって指示されたプライマリーセルのみにおけるＰＤＳＣＨでの送信に対して、そして、カウンターＤＡＩの値とトータルＤＡＩの値のいずれか一方が“１”よりも大きい場合には、第４のＰＵＣＣＨリソースおよび第４のＰＵＣＣＨフォーマット、または、第３のＰＵＣＣＨリソースおよび第３のＰＵＣＣＨフォーマットを用いてもよい。すなわち、この場合において、端末装置１は、プライマリーセルのみにおけるＰＤＳＣＨでの送信のスケジューリングに用いられるＰＤＣＣＨを検出し、カウンターＤＡＩの値とトータルＤＡＩの値のいずれか一方が“１”よりも大きい値にセットされている場合には、第４のＰＵＣＣＨリソースおよび第４のＰＵＣＣＨフォーマット、または、第３のＰＵＣＣＨリソースおよび第３のＰＵＣＣＨフォーマットを用いてもよい。
【０１２２】
ここで、端末装置１は、第２のサブフレームで送信される上りリンク制御情報（ＨＡＲＱ−ＡＣＫ、ＳＲ、および／または、ピリオディックＣＳＩ）のビット数（ビットの総数）に基づいて、第４のＰＵＣＣＨリソースおよび第４のＰＵＣＣＨフォーマット、および、第３のＰＵＣＣＨリソースおよび第３のＰＵＣＣＨフォーマットのいずれかを用いるのかを決定してもよい。
【０１２３】
例えば、端末装置１は、第２のサブフレームで送信される上りリンク制御情報のビット数が２２ビットよりも大きい場合（２２ビット以上の場合でもよい）には、第４のＰＵＣＣＨリソースおよび第４のＰＵＣＣＨフォーマットを用いてもよい。また、端末装置１は、第２のサブフレームで送信される上りリンク制御情報のビット数が２２ビットよりも小さい場合（２２ビット以下の場合でもよい）には、第３のＰＵＣＣＨリソースおよび第３のＰＵＣＣＨフォーマットを用いてもよい。
【０１２４】
また、第１の情報の値として“１”がセット（設定）された場合において、端末装置１は、第１のサブフレームにおけるＰＤＣＣＨの検出によって指示されたプライマリーセルにおけるＰＤＳＣＨでの送信に対して、第１のＰＵＣＣＨリソースおよび第１のＰＵＣＣＨフォーマットを用いてもよい。
【０１２５】
また、第１の情報の値として“１”がセット（設定）された場合において、端末装置１は、第１のサブフレームにおけるＰＤＣＣＨの検出によって指示されたセカンダリーセルにおけるＰＤＳＣＨでの送信に対して、第４のＰＵＣＣＨリソースおよび第４のＰＵＣＣＨフォーマットを用いてもよい。
【０１２６】
図８は、本実施形態における上りリンク制御情報の送信方法を説明するための別の図である。ここで、図８は、疑似コード（Pseudo code）を示している。
【０１２７】
すなわち、図８は、端末装置１が、ＨＡＲＱ−ＡＣＫ（上りリンク制御情報）を送信する場合において、第１のＰＵＣＣＨリソース、第３のＰＵＣＣＨリソース、および、第４のＰＵＣＣＨリソースのいずれを用いるのかを示している。また、図８は、端末装置１が、ＨＡＲＱ−ＡＣＫ（上りリンク制御情報）を送信する場合において、第１のＰＵＣＣＨフォーマット、第３のＰＵＣＣＨフォーマット、および、第４のＰＵＣＣＨフォーマットのいずれを用いるのかを示している。
【０１２８】
ここで、図８は、ＴＤＤに対して（ＴＤＤが適用される場合における、フレーム構造タイプ１に対して）、ＨＡＲＱ−ＡＣＫ（上りリンク制御情報）を送信する際の動作を示していてもよい。また、図８は、ＴＤＤが適用されるセルとＦＤＤが適用されるキャリアアグリゲーションにおいて、プライマリーセルに対してＴＤＤが適用される場合において用いられてもよい。また、図８は、ＰＵＣＣＨフォーマット４が設定された端末装置１の動作を示していてもよい。
【０１２９】
図８に示すように、第１の情報の値として“０”がセット（設定）された場合において、端末装置１は、第１のサブフレームにおけるプライマリーセルのＣＳＳにおけるＰＤＣＣＨの検出によって指示されたプライマリーセルのみにおけるＰＤＳＣＨでの送信に対して、そして、カウンターＤＡＩの値が“１”の場合には、第１のＰＵＣＣＨリソースおよび第１のＰＵＣＣＨフォーマットを用いてもよい。すなわち、この場合において、端末装置１は、プライマリーセルのみにおけるＰＤＳＣＨでの送信のスケジューリングに用いられるＰＤＣＣＨをプライマリーセルのＣＳＳにおいて検出し、カウンターＤＡＩの値が“１”の場合には、第１のＰＵＣＣＨリソースおよび第１のＰＵＣＣＨフォーマットを用いてもよい。
【０１３０】
また、第１の情報の値として“０”がセット（設定）された場合において、端末装置１は、第１のサブフレームにおけるＰＤＣＣＨの検出によって指示されたプライマリーセルのみにおけるＰＤＳＣＨでの送信に対して、そして、カウンターＤＡＩの値とトータルＤＡＩの値の両方が“１”の場合には、第１のＰＵＣＣＨリソースおよび第１のＰＵＣＣＨフォーマットを用いてもよい。ここで、ＰＤＣＣＨは、プライマリーセルのＵＳＳにおいて検出されてもよい。すなわち、この場合において、端末装置１は、プライマリーセルのみにおけるＰＤＳＣＨでの送信のスケジューリングに用いられるＰＤＣＣＨを検出し、カウンターＤＡＩの値とトータルＤＡＩの値の両方が“０”にセットされている場合には、第１のＰＵＣＣＨリソースおよび第１のＰＵＣＣＨフォーマットを用いてもよい。
【０１３１】
また、第１の情報の値として“０”がセット（設定）された場合において、端末装置１は、第１のサブフレームにおけるＰＤＣＣＨの検出によって指示されたプライマリーセルにおけるＰＤＳＣＨでの送信に対して、そして、カウンターＤＡＩの値とトータルＤＡＩの値のいずれか一方が“１”よりも大きい場合には、第４のＰＵＣＣＨリソースおよび第４のＰＵＣＣＨフォーマット、または、第３のＰＵＣＣＨリソースおよび第３のＰＵＣＣＨフォーマットを用いてもよい。すなわち、この場合において、端末装置１は、プライマリーセルにおけるＰＤＳＣＨでの送信のスケジューリングに用いられるＰＤＣＣＨを検出し、カウンターＤＡＩの値とトータルＤＡＩの値のいずれか一方が“１”よりも大きい値にセットされている場合には、第４のＰＵＣＣＨリソースおよび第４のＰＵＣＣＨフォーマット、または、第３のＰＵＣＣＨリソースおよび第３のＰＵＣＣＨフォーマットを用いてもよい。
【０１３２】
また、第１の情報の値として“０”がセット（設定）された場合において、端末装置１は、第１のサブフレームにおけるＰＤＣＣＨの検出によって指示されたセカンダリーセルにおけるＰＤＳＣＨでの送信に対して、第４のＰＵＣＣＨリソースおよび第４のＰＵＣＣＨフォーマット、または、第３のＰＵＣＣＨリソースおよび第３のＰＵＣＣＨフォーマットを用いてもよい。
【０１３３】
ここで、端末装置１は、第２のサブフレームで送信される上りリンク制御情報（ＨＡＲＱ−ＡＣＫ、ＳＲ、および／または、ピリオディックＣＳＩ）のビット数（ビットの総数）に基づいて、第４のＰＵＣＣＨリソースおよび第４のＰＵＣＣＨフォーマット、および、第３のＰＵＣＣＨリソースおよび第３のＰＵＣＣＨフォーマットのいずれかを用いるのかを決定してもよい。
【０１３４】
例えば、端末装置１は、第２のサブフレームで送信される上りリンク制御情報のビット数が２２ビットよりも大きい場合（２２ビット以上の場合でもよい）には、第４のＰＵＣＣＨリソースおよび第４のＰＵＣＣＨフォーマットを用いてもよい。また、端末装置１は、第２のサブフレームで送信される上りリンク制御情報のビット数が２２ビットよりも小さい場合（２２ビット以下の場合でもよい）には、第３のＰＵＣＣＨリソースおよび第３のＰＵＣＣＨフォーマットを用いてもよい。
【０１３５】
図９は、本実施形態における上りリンク制御情報の送信方法を説明するための別の図である。ここで、図９は、疑似コード（Pseudo code）を示している。図９は、図８において第１の情報の値として“１”が設定された場合の動作を示している。
【０１３６】
図９に示すように、第１の情報の値として“１”がセット（設定）された場合において、端末装置１は、第１のサブフレームにおけるＰＤＣＣＨの検出によって指示されたプライマリーセルのみにおけるＰＤＳＣＨでの送信に対して、そして、ＤＡＩの値が“１”の場合には、第１のＰＵＣＣＨリソースおよび第１のＰＵＣＣＨフォーマットを用いてもよい。ここで、この場合において、ＴＤＤ上りリンク／下りリンク設定（TDD UL/DL configuration）は、１、２、３、４、５、および、６のいずれかに設定されていてもよい。すなわち、この場合において、ＴＤＤ上りリンク／下りリンク設定は、０に設定されていなくてもよい。また、ＤＡＩの値は、カウンターＤＡＩの値であってもよい。すなわち、この場合において、端末装置１は、プライマリーセルのみにおけるＰＤＳＣＨでの送信のスケジューリングに用いられるＰＤＣＣＨを検出し、ＤＡＩの値が“０”にセットされている場合には、第１のＰＵＣＣＨリソースおよび第１のＰＵＣＣＨフォーマットを用いてもよい。
【０１３７】
図９に示すように、第１の情報の値として“１”がセット（設定）された場合において、端末装置１は、第１のサブフレームにおけるＰＤＣＣＨの検出によって指示されたプライマリーセルのみにおけるＰＤＳＣＨでの送信に対して、そして、ＤＡＩの値が“１”の場合には、第１のＰＵＣＣＨリソースおよび第１のＰＵＣＣＨフォーマットを用いてもよい。ここで、この場合において、ＴＤＤ上りリンク／下りリンク設定（TDD UL/DL configuration）は、１、２、３、４、５、および、６のいずれかに設定されていてもよい。すなわち、この場合において、ＴＤＤ上りリンク／下りリンク設定は、０に設定されていなくてもよい。また、ＤＡＩの値は、カウンターＤＡＩの値であってもよい。すなわち、この場合において、端末装置１は、プライマリーセルのみにおけるＰＤＳＣＨでの送信のスケジューリングに用いられるＰＤＣＣＨを検出し、ＤＡＩの値が“０”にセットされている場合には、第１のＰＵＣＣＨリソースおよび第１のＰＵＣＣＨフォーマットを用いてもよい。
【０１３８】
また、第１の情報の値として“１”がセット（設定）された場合において、端末装置１は、第１のサブフレームにおけるＰＤＣＣＨの検出によって指示されたプライマリーセルのみにおけるＰＤＳＣＨでの送信に対して、そして、ＤＡＩの値が“１”よりも大きい場合には、第４のＰＵＣＣＨリソースおよび第４のＰＵＣＣＨフォーマットを用いてもよい。ここで、ＤＡＩの値は、カウンターＤＡＩの値であってもよい。すなわち、この場合において、端末装置１は、プライマリーセルのみにおけるＰＤＳＣＨでの送信のスケジューリングに用いられるＰＤＣＣＨを検出し、ＤＡＩの値が“１”よりも大きい値にセットされている場合には、第４のＰＵＣＣＨリソースおよび第４のＰＵＣＣＨフォーマットを用いてもよい。
【０１３９】
また、第１の情報の値として“１”がセット（設定）され、すべてのサービングセルのＴＤＤ上りリンク／下りリンク設定が同じ場合において、端末装置１は、第１のサブフレームにおけるＰＤＣＣＨの検出によって指示されたセカンダリーセルにおけるＰＤＳＣＨでの送信に対して、第４のＰＵＣＣＨリソースおよび第４のＰＵＣＣＨフォーマットを用いてもよい。すなわち、この場合において、端末装置１は、セカンダリーセルにおけるＰＤＳＣＨでの送信のスケジューリングに用いられるＰＤＣＣＨを検出した場合には、第４のＰＵＣＣＨリソースおよび第４のＰＵＣＣＨフォーマットを用いてもよい。
【０１４０】
また、第１の情報の値として“１”がセット（設定）され、少なくとも２つのサービングセルのＴＤＤ上りリンク／下りリンク設定が異なる場合において、端末装置１は、第１のサブフレームにおけるＰＤＣＣＨの検出によって指示されたセカンダリーセルにおけるＰＤＳＣＨでの送信に対して、第４のＰＵＣＣＨリソースおよび第４のＰＵＣＣＨフォーマットを用いてもよい。すなわち、この場合において、端末装置１は、セカンダリーセルにおけるＰＤＳＣＨでの送信のスケジューリングに用いられるＰＤＣＣＨを検出した場合には、第４のＰＵＣＣＨリソースおよび第４のＰＵＣＣＨフォーマットを用いてもよい。
【０１４１】
図１０は、本実施形態における上りリンク制御情報の送信方法を説明するための別の図である。ここで、図１０は、図８に対応する。すなわち、図１０は、ＴＤＤに対して（ＴＤＤが適用される場合における、フレーム構造タイプ１に対して）、ＨＡＲＱ−ＡＣＫ（上りリンク制御情報）を送信する際の動作を示していてもよい。また、図１０は、ＴＤＤが適用されるセルとＦＤＤが適用されるキャリアアグリゲーションにおいて、プライマリーセルに対してＴＤＤが適用される場合において用いられてもよい。また、図１０は、ＰＵＣＣＨフォーマット４が設定された端末装置１の動作を示していてもよい。
【０１４２】
以下、ｏ１、ｏ２、…、ｏＸは、ＨＡＲＱ−ＡＣＫのビットを示す。すなわち、例えば、ｏ１の場合には、ＨＡＲＱ−ＡＣＫのビット数（ＨＡＲＱ−ＡＣＫのコードブックのサイズ）は１ビットである。また、ｏ１、ｏ２、ｏ３の場合には、ＨＡＲＱ−ＡＣＫのビット数（ＨＡＲＱ−ＡＣＫのコードブックのサイズ）は３ビットである。
【０１４３】
図１０に示すように、端末装置１は、第１の情報（“０”にセットされた第１の情報）を受信しており、且つ、プライマリーセルのみにおけるＰＤＳＣＨでの送信のスケジューリングに用いられるＰＤＣＣＨをプライマリーセルのＣＳＳにおいて検出し、下りリンクアサインメントに含まれるカウンターＤＡＩの値が“１”にセットされている場合には、第１のＰＵＣＣＨフォーマットおよび第１のＰＵＣＣＨフォーマットを用いてもよい。
【０１４４】
また、端末装置１は、第１の情報（“０”にセットされた第１の情報）を受信しており、且つ、プライマリーセルのみにおけるＰＤＳＣＨでの送信のスケジューリングに用いられるＰＤＣＣＨをプライマリーセルのＵＳＳにおいて検出し、下りリンクアサインメントに含まれるカウンターＤＡＩの値とトータルＤＡＩの値の両方が“１”にセットされている場合には、第１のＰＵＣＣＨフォーマットおよび第１のＰＵＣＣＨフォーマットを用いてもよい。
【０１４５】
図１１は、本実施形態における上りリンク制御情報の送信方法を説明するための別の図である。ここで、図１１は、図８に対応する。すなわち、図１１は、ＴＤＤに対して（ＴＤＤが適用される場合における、フレーム構造タイプ１に対して）、ＨＡＲＱ−ＡＣＫ（上りリンク制御情報）を送信する際の動作を示していてもよい。また、図１１は、ＴＤＤが適用されるセルとＦＤＤが適用されるキャリアアグリゲーションにおいて、プライマリーセルに対してＴＤＤが適用される場合において用いられてもよい。また、図１１は、ＰＵＣＣＨフォーマット４が設定された端末装置１の動作を示していてもよい。
【０１４６】
図１１に示すように、端末装置１は、第１の情報（“０”にセットされた第１の情報）を受信しており、且つ、セカンダリーセルにおけるＰＤＳＣＨでの送信（少なくとも１つのセカンダリーセルにおけるＰＤＳＣＨの送信でもよい）のスケジューリングに用いられるＰＤＣＣＨを検出した場合には、第４のＰＵＣＣＨフォーマットおよび第４のＰＵＣＣＨフォーマット、または、第３のＰＵＣＣＨフォーマットおよび第３のＰＵＣＣＨフォーマットのいずれかを用いてもよい。
【０１４７】
ここで、端末装置１は、第１の情報（“０”にセットされた第１の情報）を受信しており、且つ、プライマリーセルにおけるＰＤＳＣＨでの送信（プライマリーセルのみにおけるＰＤＳＣＨの送信でもよい）のスケジューリングに用いられるＰＤＣＣＨを検出し、下りリンクアサインメントに含まれるカウンターＤＡＩの値とトータルＤＡＩの値のいずれか一方が“１”よりも大きい場合には、第４のＰＵＣＣＨフォーマットおよび第４のＰＵＣＣＨフォーマット、または、第３のＰＵＣＣＨフォーマットおよび第３のＰＵＣＣＨフォーマットのいずれかを用いてもよい。ここで、図１１においては、トータルＤＡＩの値は“３”にセットされている。
【０１４８】
ここで、上述したように、例えば、端末装置１は、ＵＣＩのビットの数に基づいて、第４のＰＵＣＣＨフォーマットおよび第４のＰＵＣＣＨフォーマットを用いてもよい。また、端末装置１は、ＵＣＩのビットの数に基づいて、第３のＰＵＣＣＨフォーマットおよび第３のＰＵＣＣＨフォーマットを用いてもよい。
【０１４９】
図１１に示すように上りリンク制御情報が送信されることによって、基地局装置３と端末装置１との間において、ＨＡＲＱ−ＡＣＫのビット数（ＨＡＲＱ−ＡＣＫコードブックのサイズ）に不一致を生じることなく、上りリンク制御情報を送信することが可能となる。例えば、端末装置１によって、ＣＣ３において送信される下りリンクアサインメントを検出されなかった場合においても、端末装置１は、ＣＣ４における下りリンクアサインメントに含まれるＤＡＩの値（カウンターＤＡＩの値、および、トータルＤＡＩの値）を検出することによって、ＨＡＲＱ−ＡＣＫのビット数を決定することができる。また、端末装置１は、ＣＣ４における下りリンクアサインメントに含まれるＤＡＩの値（カウンターＤＡＩの値、および、トータルＤＡＩの値）を検出することによって、ＣＣ３において送信される下りリンクアサインメントを検出できなかったことを検出することができる。
【０１５０】
図１２は、本実施形態における上りリンク制御情報の送信方法を説明するための別の図である。ここで、図１２は、図９に対応する。すなわち、図１２は、ＴＤＤに対して（ＴＤＤが適用される場合における、フレーム構造タイプ１に対して）、ＨＡＲＱ−ＡＣＫ（上りリンク制御情報）を送信する際の動作を示していてもよい。また、図１２は、ＴＤＤが適用されるセルとＦＤＤが適用されるキャリアアグリゲーションにおいて、プライマリーセルに対してＴＤＤが適用される場合において用いられてもよい。また、図１２は、ＰＵＣＣＨフォーマット４が設定された端末装置１の動作を示していてもよい。
【０１５１】
図１２に示すように、端末装置１は、第１の情報（“１”にセットされた第１の情報）を受信しており、且つ、プライマリーセルのみにおけるＰＤＳＣＨでの送信のスケジューリングに用いられるＰＤＣＣＨをプライマリーセルのＣＳＳにおいて検出し、下りリンクアサインメントに含まれるＤＡＩの値（カウンターＤＡＩの値でもよい）が“１”にセットされている場合には、第１のＰＵＣＣＨフォーマットおよび第１のＰＵＣＣＨフォーマットを用いてもよい。
【０１５２】
また、端末装置１は、第１の情報（“１”にセットされた第１の情報）を受信しており、且つ、セカンダリーセルにおけるＰＤＳＣＨでの送信（少なくとも１つのセカンダリーセルにおけるＰＤＳＣＨの送信でもよい）のスケジューリングに用いられるＰＤＣＣＨを検出した場合には、第４のＰＵＣＣＨフォーマットおよび第４のＰＵＣＣＨフォーマット、または、第３のＰＵＣＣＨフォーマットおよび第３のＰＵＣＣＨフォーマットのいずれかを用いてもよい。
【０１５３】
ここで、端末装置１は、第１の情報（“１”にセットされた第１の情報）を受信しており、且つ、プライマリーセルにおけるＰＤＳＣＨでの送信（プライマリーセルのみにおけるＰＤＳＣＨの送信でもよい）のスケジューリングに用いられるＰＤＣＣＨを検出し、下りリンクアサインメントに含まれるカウンターＤＡＩの値とトータルＤＡＩの値のいずれか一方が“１”よりも大きい場合には、第４のＰＵＣＣＨフォーマットおよび第４のＰＵＣＣＨフォーマット、または、第３のＰＵＣＣＨフォーマットおよび第３のＰＵＣＣＨフォーマットのいずれかを用いてもよい。ここで、図１２（図１２における右側）においては、トータルＤＡＩの値は“３”にセットされている。
【０１５４】
ここで、上述したように、例えば、端末装置１は、ＵＣＩのビットの数に基づいて、第４のＰＵＣＣＨフォーマットおよび第４のＰＵＣＣＨフォーマットを用いてもよい。また、端末装置１は、ＵＣＩのビットの数に基づいて、第３のＰＵＣＣＨフォーマットおよび第３のＰＵＣＣＨフォーマットを用いてもよい。
【０１５５】
以下、本実施形態における装置の構成について説明する。
【０１５６】
図１３は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１５７】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５８】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０１５９】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１６０】
また、上位層処理部１０１が備える送信電力制御部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。
【０１６１】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１６２】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０１６３】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１６４】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１６５】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１６６】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１６７】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０１６８】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０１６９】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０１７０】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０１７１】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１７２】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０１７３】
図１４は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信電力制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１７４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１７５】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０１７６】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１７７】
また、上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。
【０１７８】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１７９】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０１８０】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０１８１】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１８２】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１８３】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１８４】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０１８５】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１８６】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１８７】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０１８８】
より具体的には、本実施形態における端末装置１は、下りリンクアサインメントに基づきＨＡＲＱ−ＡＣＫのビット数を決定することを設定する第１の情報が含まれる上位層の信号を受信し、前記下りリンクアサインメントをＰＤＣＣＨで受信する受信部１０５と、前記ＨＡＲＱ−ＡＣＫを送信する送信部１０７と、を備え、前記送信部１０７は、前記第１の情報を受信しており、且つ、プライマリーセルのみにおけるＰＤＳＣＨでの送信のスケジューリングに用いられるＰＤＣＣＨをプライマリーセルのＣＳＳにおいて検出し、前記下りリンクアサインメントに含まれるカウンターＤＡＩの値が１にセットされている場合には、第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨをプライマリーセルのＵＳＳにおいて検出し、前記下りリンクアサインメントに含まれるカウンターＤＡＩの値とトータルＤＡＩの値の両方が１にセットされている場合には、前記第１のＰＵＣＣＨフォーマットを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨを検出し、前記下りリンクアサインメントに含まれるカウンターＤＡＩの値とトータルＤＡＩの値のいずれか一方が１よりも大きい値にセットされている場合には、第３のＰＵＣＣＨフォーマット、および、第４のＰＵＣＣＨフォーマットのいずれか一方を用いて、前記ＨＡＲＱ−ＡＣＫを送信する。
【０１８９】
また、前記送信部１０７は、前記ＨＡＲＱ−ＡＣＫの前記ビット数が所定の数よりも少ない場合には、前記第３のＰＵＣＣＨフォーマットを用いて、前記ＨＡＲＱ−ＡＣＫを送信し、前記ＨＡＲＱ−ＡＣＫの前記ビット数が所定の数よりも多い場合には、前記第４のＰＵＣＣＨフォーマットを用いて、前記ＨＡＲＱ−ＡＣＫを送信する。
【０１９０】
また、前記送信部１０７は、前記第１の情報を受信しており、且つ、プライマリーセルのみにおけるＰＤＳＣＨでの送信のスケジューリングに用いられるＰＤＣＣＨをプライマリーセルのＣＳＳにおいて検出し、前記下りリンクアサインメントに含まれるカウンターＤＡＩの値が１にセットされている場合には、第１のＰＵＣＣＨリソースを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨをプライマリーセルのＵＳＳにおいて検出し、前記下りリンクアサインメントに含まれるカウンターＤＡＩの値とトータルＤＡＩの値の両方が１にセットされている場合には、前記第１のＰＵＣＣＨリソースを用いて、前記ＨＡＲＱ−ＡＣＫを送信し、前記第１の情報を受信しており、且つ、プライマリーセルのみにおけるＰＤＳＣＨでの送信のスケジューリングに用いられるＰＤＣＣＨを検出し、前記下りリンクアサインメントに含まれるカウンターＤＡＩの値とトータルＤＡＩの値のいずれか一方が１よりも大きい値にセットされている場合には、第３のＰＵＣＣＨリソース、および、第４のＰＵＣＣＨリソースのいずれか一方を用いて、前記ＨＡＲＱ−ＡＣＫを送信する。
【０１９１】
また、前記送信部１０７は、前記ＨＡＲＱ−ＡＣＫの前記ビット数が所定の数よりも少ない場合には、前記第３のＰＵＣＣＨリソースを用いて、前記ＨＡＲＱ−ＡＣＫを送信し、前記ＨＡＲＱ−ＡＣＫの前記ビット数が所定の数よりも多い場合には、前記第４のＰＵＣＣＨリソースを用いて、前記ＨＡＲＱ−ＡＣＫを送信する。
【０１９２】
また、本実施形態における基地局装置３は、下りリンクアサインメントに基づきＨＡＲＱ−ＡＣＫのビット数を決定することを設定する第１の情報が含まれる上位層の信号を送信し、前記下りリンクアサインメントをＰＤＣＣＨで送信する送信部３０７と、前記ＨＡＲＱ−ＡＣＫを受信する受信部３０５と、を備え、前記受信部３０５は、前記第１の情報を送信しており、且つ、プライマリーセルのみにおけるＰＤＳＣＨでの送信のスケジューリングに用いられるＰＤＣＣＨをプライマリーセルのＣＳＳにおいて送信し、前記下りリンクアサインメントに含まれるカウンターＤＡＩの値を１にセットしている場合には、第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨをプライマリーセルのＵＳＳにおいて送信し、前記下りリンクアサインメントに含まれるカウンターＤＡＩの値とトータルＤＡＩの値の両方を１にセットしている場合には、前記第１のＰＵＣＣＨフォーマットを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨを送信し、前記下りリンクアサインメントに含まれるカウンターＤＡＩの値とトータルＤＡＩの値のいずれか一方が１よりも大きい値にセットしている場合には、第３のＰＵＣＣＨフォーマット、および、第４のＰＵＣＣＨフォーマットのいずれか一方を用いて、前記ＨＡＲＱ−ＡＣＫを受信する。
【０１９３】
また、前記受信部３０５は、前記ＨＡＲＱ−ＡＣＫの前記ビット数が所定の数よりも少ない場合には、前記第３のＰＵＣＣＨフォーマットを用いて、前記ＨＡＲＱ−ＡＣＫを受信し、前記ＨＡＲＱ−ＡＣＫの前記ビット数が所定の数よりも多い場合には、前記第４のＰＵＣＣＨフォーマットを用いて、前記ＨＡＲＱ−ＡＣＫを受信する。
【０１９４】
また、前記受信部３０５は、前記第１の情報を送信しており、且つ、プライマリーセルのみにおけるＰＤＳＣＨでの送信のスケジューリングに用いられるＰＤＣＣＨをプライマリーセルのＣＳＳにおいて送信し、前記下りリンクアサインメントに含まれるカウンターＤＡＩの値を１にセットしている場合には、第１のＰＵＣＣＨリソースを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨをプライマリーセルのＵＳＳにおいて送信し、前記下りリンクアサインメントに含まれるカウンターＤＡＩの値とトータルＤＡＩの値の両方を１にセットしている場合には、前記第１のＰＵＣＣＨリソースを用いて、前記ＨＡＲＱ−ＡＣＫを受信し、前記第１の情報を送信しており、且つ、プライマリーセルのみにおけるＰＤＳＣＨでの送信のスケジューリングに用いられるＰＤＣＣＨを送信し、前記下りリンクアサインメントに含まれるカウンターＤＡＩの値とトータルＤＡＩの値のいずれか一方を１よりも大きい値にセットしている場合には、第３のＰＵＣＣＨリソース、および、第４のＰＵＣＣＨリソースのいずれか一方を用いて、前記ＨＡＲＱ−ＡＣＫを受信する。
【０１９５】
また、前記受信部３０５は、前記ＨＡＲＱ−ＡＣＫの前記ビット数が所定の数よりも少ない場合には、前記第３のＰＵＣＣＨリソースを用いて、前記ＨＡＲＱ−ＡＣＫを受信し、前記ＨＡＲＱ−ＡＣＫの前記ビット数が所定の数よりも多い場合には、前記第４のＰＵＣＣＨリソースを用いて、前記ＨＡＲＱ−ＡＣＫを受信する。
【０１９６】
これにより、上りリンク制御情報を効率的に送信することができる。
【０１９７】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１９８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２００】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２０１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２０２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２０３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２０５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２０６】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力制御部
３０１１  無線リソース制御部
３０１３  スケジューリング部
３０１５  送信電力制御部
【図１】
0006739521.tif 000002
【図２】
0006739521.tif 000003
【図３】
0006739521.tif 000004
【図４】
0006739521.tif 000005
【図５】
0006739521.tif 000006
【図６】
0006739521.tif 000007
【図７】
0006739521.tif 000008
【図８】
0006739521.tif 000009
【図９】
0006739521.tif 000010
【図１０】
0006739521.tif 000011
【図１１】
0006739521.tif 000012
【図１２】
0006739521.tif 000013
【図１３】
0006739521.tif 000014
【図１４】
0006739521.tif 000015